(57)【要約】【課題】透明容器を動かすことによって透明容器内に収容した装飾片が液体中で浮遊する様子を視覚的に楽しむことができ、しかもドーム型容器内に交換可能に収納したカレンダー等の表示片を容易に取り替え可能としたウォータードーム型カレンダーを提供する。【解決手段】上部を半球形に形成したドーム型の透明容器の内部に透明な液体を充填し、その液体の内部に多数の微小な装飾片を収容したウォータードーム型カレンダーにおいて、明容器の上部に形成した開口部から下方に向けて該透明容器内の液体から隔絶した状態で所定幅のスリットを形成する枠部材を設け、該スリットの開口部からカレンダー等の表示片を交換可能に挿入するようにした。【選択図】図１
2013244733.tif 000002
【特許請求の範囲】
【請求項１】
上部を半球形に形成したドーム型の透明容器の内部に透明な液体を充填し、その液体の内部に多数の微小な装飾片を収容したウォータードーム型カレンダーにおいて、
透明容器の上部に形成した開口部から下方に向けて該透明容器内の液体から隔絶した状態で所定幅のスリットを形成する枠部材を設け、該スリットの開口部からカレンダー等の表示片を交換可能に挿入するようにしたことを特徴とするウォータードーム型カレンダー。
【請求項２】
透明容器の底面に該透明容器の内部に液体を収容するための注入口を形成すると共に、該注入口を封止する栓部材を設け、該透明容器の底面に周状の鍔を有する受台を取付けることによって栓部材で封止した注入口を閉塞するようにしたことを特徴とする請求項１記載のウォータードーム型カレンダー。
【請求項３】
透明容器に形成したスリットを形成する枠部材の最下面と該透明容器の底面との間に隙間を設け、該隙間を経て液体中に収容した多数の微小な装飾片が移動するようにしたことを特徴とする請求項１又は２記載のウォータードーム型カレンダー。
【請求項４】
透明容器に形成したスリットに挿入するカレンダー等の表示片の外周の任意箇所に小片を突出形成し、該スリットにカレンダー等の表示片を挿入した状態において、該表示片の小片が該スリットから突出状に露出するようにしたことを特徴する請求項１、２又は３記載のウォータードーム型カレンダー。
【発明の詳細な説明】
【技術分野】
【０００１】
本発明は、置物や玩具として用いるウォータードームにカレンダーを設けたウォータードーム型カレンダーに関する。
【背景技術】
【０００２】
従来から、アクリル樹脂等によって球形やドーム型に形成された透明容器の内部に透明な液体を充填し、その中に庭園や建物等の模造的な展示物を設置すると共に、その液体の内部に微小な装飾片を浮遊させるようにしたウォータードームが知られている。なお、ウォータードームは、一般に、スノードームと称せられることもある。
【０００３】
ところで、このウォータードームを利用した物品として、特許文献１に記載のスノードームは、ドーム内にプロペラを設け、そのプロペラを駆動装置で撹拌することによって、内部に収容したパウダーと称する微小な装飾片が揺れ動くようにしたものである。
【０００４】
ところが、この特許文献１のスノードームは、ドーム内の装飾片を動力で撹拌するために、モータや電源を必要とするものであった。
【０００５】
本発明者は、そのようにモータや電源を設けることなく、ドーム内の装飾片が静止状態又は浮遊状態の液体中にカレンダー等の表示片を透視することができるスノードーム型カレンダーを案出した。このスノードーム型カレンダーは、特許文献２に示すように、ドーム内の液体が拡大レンズのように作用することにより、液体中においてカレンダー等の表示片が拡大して見えるようにしたものである。
【先行技術文献】
【特許文献】
【０００６】
【特許文献１】実用新案登録第３１６７４７３号公報
【特許文献２】実用新案登録第３１７１３２４号公報
【発明の概要】
【発明が解決しようとする課題】
【０００７】
ところで、上記の特許文献２のスノードーム型カレンダーは、ドーム型の透明容器の底部に受台を取付ける構造を有すると共に、透明容器の底部側に開口部を設け、開口部から上方へスリットを設けた構成を有する。このため、スリットにカレンダーを挿入したり、交換するには、透明容器から受台を取り外した状態にして透明容器の底部側の開口部からカレンダーをスリットに挿入する必要がある。
【０００８】
ところが、使用者のなかには、透明容器から受台を取り外す構造を知らず、カレンダーの交換方法が分からないまま放置するという不都合が生じていた。
【０００９】
本発明は、上記の事情に鑑みてなされたものであり、透明容器を動かすことによって透明容器内に収容した装飾片が液体中で浮遊する様子を視覚的に楽しむことができ、しかもドーム型容器内に交換可能に収納したカレンダー等の表示片を容易に取り替え可能としたウォータードーム型カレンダーを提供することを目的とする。
【課題を解決するための手段】
【００１０】
上記の問題を解決するために、本発明の請求項１のウォータードーム型カレンダーは、上部を半球形に形成したドーム型の透明容器の内部に透明な液体を充填し、その液体の内部に多数の微小な装飾片を収容したウォータードーム型カレンダーにおいて、透明容器の上部に形成した開口部から下方に向けて該透明容器内の液体から隔絶した状態で所定幅のスリットを形成する枠部材を設け、該スリットの開口部からカレンダー等の表示片を交換可能に挿入するようにしたことを特徴とする。
【００１１】
また、本発明の請求項２のウォータードーム型カレンダーは、請求項１において、透明容器の底面に該透明容器の内部に液体を収容するための注入口を形成すると共に、該注入口を封止する栓部材を設け、該透明容器の底面に周状の鍔を有する受台を取付けることによって栓部材で封止した注入口を閉塞するようにしたことを特徴とする。
【００１２】
また、本発明の請求項３のウォータードーム型カレンダーは、請求項１又は２において、透明容器に形成したスリットを形成する枠部材の最下面と該透明容器の底面との間に隙間を設け、該隙間を経て液体中に収容した多数の微小な装飾片が移動するようにしたことを特徴とする。
【００１３】
さらに、本発明の請求項４のウォータードーム型カレンダーは、請求項１、２又は３において、透明容器に形成したスリットに挿入するカレンダー等の表示片の外周の任意箇所に小片を突出形成し、該スリットにカレンダー等の表示片を挿入した状態において、該表示片の小片が該スリットから突出状に露出するようにしたことを特徴する。
【発明の効果】
【００１４】
本発明のウォータードーム型カレンダーは、上記のように構成されているため、透明容器を設置した状態で該透明容器の上部に形成した開口部からカレンダー等の表示片をスリット内に挿入することが可能である。このため、使用者は、透明容器の上部に形成したスリットの開口部を容易に目視することができ、必要に応じて、透明容器を設置した状態で、カレンダー等の表示片をスリットに差し替えて交換することが可能となる。
【００１５】
また、透明容器の形状は上部を半球形に形成してあり、この透明容器の内部に透明の液体を充填しているため、拡大レンズを通して見たような拡大レンズ効果を発揮することができる。このため、スリットに挿入したカレンダー等の表示片を透明容器の外方から拡大した状態で見ることが可能となる。
【００１６】
さらに、透明容器を静的に設置している状態では、液体の内部に収容されている微小な装飾片も動かずに静止している状態となるが、透明容器を振るなどして動かすことにより、液体内の微小な装飾片が浮遊し、美しい視覚効果を発揮することが可能となる。
【００１７】
また、透明容器の底面に注入口を形成すると共に、該注入口を栓部材で封止する構成とし、この透明容器の底面に周状の鍔を有する受台を取付けることによって栓部材で封止した注入口を閉塞することが可能となる。
【００１８】
また、透明容器に形成したスリットを形成する枠部材の最下面と該透明容器の底面との間に隙間を設けることにより、この隙間を経て液体中に収容した多数の微小な装飾片を移動させることが可能となり、その装飾片の動く状況を外方から目視で楽しむことが可能となる。
【００１９】
さらに、透明容器に形成したスリットに挿入するカレンダー等の表示片の外周の任意箇所に小片を突出形成することにより、該スリットにカレンダー等の表示片を挿入したとき、スリットから突出状に露出した表示片の小片を指先で摘んで、他の表示片に容易に交換することが可能となる。
【図面の簡単な説明】
【００２０】
【図１】本発明による実施例のウォータードーム型カレンダーの斜視図である。
【図２】本発明による実施例のウォータードーム型カレンダーの斜視図であり、スリットからカレンダーを上方へ抜き出している状況を示す。
【図３】本発明による実施例のウォータードーム型カレンダーの分解図であり、 (ａ)はカレンダーの正面図と透明容器の側面図と台座の側面図であり、(ｂ)は透明容器の側面図と台座の側面図と台座の底面図である。
【図４】（ａ）は本発明による実施例のウォータードーム型カレンダーの透明容器と受台とを分離した状態を示す断面図であり、（ｂ）は透明容器の底面に受台を取り付けた状態を示す断面図である。
【発明を実施するための形態】
【００２１】
以下、本発明の実施例について図面を参照しながら説明する。
【実施例】
【００２２】
本発明による実施例のウォータードーム型カレンダー１は、図１に示すように、上部を半球形に形成したドーム型の透明容器２に透明な液体３を充填し、その液体３の内部に多数の微小な装飾片４を収容し、透明容器２の上部に形成した開口部５から下方に向けて形成したスリット６にカレンダー等の表示片７を交換可能に挿入することを可能としたものである。
【００２３】
このような本実施例のウォータードーム型カレンダー１は、図３(ａ)、(ｂ)に示すように、カレンダー等の表示片７と、上部を半球形に形成したドーム型の透明容器２と、透明容器２の底部２ａを受ける受台８とに分解可能である。
【００２４】
図３(ａ)、(ｂ)に示すように、上記の透明容器２は、アクリル樹脂等の透明合成樹脂を用いて、上部を半球形に形成したドーム型の透明容器２の底部２ａを平面状に形成すると共に、透明容器２の上部に形成した細幅の開口部５から下方に向けて透明容器２内の液体３から隔絶した状態で所定幅のスリット６を形成する枠部材１０を設けた構成としている。  
【００２５】
このスリット６は、該スリット６を枠部材１０で形成することによって透明容器２内の液体３から隔絶された状態に構成することができる。このような構成により、透明容器２の上部の開口部５からスリット６内に挿入したカレンダー等の表示片７を液体３に濡れない状態で表示することが可能となる。
【００２６】
このような構成において、透明容器２の形状は上部を半球形に形成してあるため、透明容器２内に透明の液体３を充填した状態にすると、透明容器２の外方から内部のカレンダー等の表示片７を拡大レンズを通して見たように拡大して透視することが可能となる。
【００２７】
また、透明容器２の底部２ａには、図４（ａ）に示すように、透明容器２の内部空間に通じる注入口９を形成してあり、この注入口９から透明容器２の内部空間に透明の水又は油性の液体３を注入することができ、注入口９を下方から栓部材１１で密閉することによって封止された透明容器２の内部に透明の液体３が充填された状態となる。
【００２８】
また、図４(ａ)、(ｂ)に示すように、上記の透明容器２の内部には、多数の微小な装飾片４が収容され、各装飾片４が透明容器２内の液体３の中を浮遊することが可能とされている。夫々の微小な装飾片４は、金銀等の反射性を有し、且つ耐水性を有する薄厚の合成樹脂片や、その他の材質として、液体３中で浮遊し易い材質のものから形成されている。この微小な装飾片４は、栓部材１１を開けた注入口９から透明容器２の内部に充填することによって収容可能である。
【００２９】
また、図１又は図２に示すように、透明容器２の内部には人形等の展示物１２が設けられている。このように透明容器２の内部に人形等の展示物１２を設けるには、透明容器２の底部２ａとドーム部２ｂ（図４参照）とを分離し、予め底部２ａの上面に人形等の展示物１２の下部を接着剤等で接着しておき、その後に、底部２ａの外周にドーム部２ｂを接着剤等で結合して封止状態にすることにより取り付けることが可能である。
【００３０】
また、図３(ａ)、(ｂ)に示すように、透明容器２は上部が半球形に形成されているため、透明容器２の外周は円形に形成されたものとなる。従って、透明容器２の底部２ａを受ける受台８もまた円盤のような形状に形成され、円形の底面板８ａの外周に上下方向に突出した円形枠部材８ｂを形成することにより、その内周側に透明容器２の底部２ａを嵌合可能にすることが可能となる。
【００３１】
さらに、図４（ａ）、（ｂ）に示すように、受台８の所定箇所には、受台８の底面板８ａから部分的に下方へ凹んだ凹部８ｃが形成され、この凹部８ｃに上記の透明容器２の底部２ａに設けられた注入口９を閉じる栓部材１１を収納することが可能とされている。このような構成により、受台８の円形枠部材８ｂの内部に透明容器２の底部２ａを嵌合することができる。
【００３２】
また、図４（ａ）、(ｂ)に示すように、透明容器２に形成したスリット６を形成する枠部材１０の最下面と該透明容器２の底面２ａとの間に隙間１３を設けた構成としている。このような構成によって、透明容器２を動かした際に、透明容器２内の微小な装飾片４が枠部材１０で隔てられた透明容器２内の空間を隙間１３を経て移動することが可能となり、その装飾片４の動く状況を外方から目視で楽しむことが可能となる。
【００３３】
また、図１又は図2に示すように、透明容器２の上部の開口部５からスリット６に挿入する表示片７として、本実施例では、１２ヶ月分のカレンダーを月毎に一枚ずつ表示した１２枚の紙片を用意し、各紙面には該当する月に応じたイラスト７ｂを表示している。また、図１、図２又は図３（ａ）には、表示片７として１月のカレンダーを表示してあるが、この表示片７は必ずしもカレンダーに限定されるものではなく、スリット６に挿入し得る写真等を展示するようにしてもよい。
【００３４】
また、本実施例においては、図１又は図２に示すように、カレンダー等の表示片７の外周の任意箇所に突出片７ａを突出形成することにより、スリット６にカレンダー等の表示片７を挿入したとき、スリット６から露出した表示片７の突出片７ａを指先で摘んで引き出し、他の表示片に容易に交換することが可能となる。
【産業上の利用可能性】
【００３５】
本発明のウォータードーム型カレンダーは、透明容器を動かすことによって透明容器内に収容した装飾片が液体中で浮遊する様子を視覚的に楽しむことができ、しかもドーム型容器内に交換可能に収納したカレンダー等の表示片を容易に取り替え可能としたウォータードーム型カレンダーとして利用可能である。
【符号の説明】
【００３６】
１  ウォータードーム型カレンダー
２  透明容器
２ａ  底部
２ｂ  ドーム部
３  液体
４  装飾片
５  開口部
６  スリット
７  表示片
７ａ  突出片
７ｂ  イラスト
８  受台
８ａ  底面板
８ｂ  円形枠部材
８ｃ  凹部
９  注入口
１０  枠部材
１１  栓部材
１２  展示物
１３  隙間
【図１】
2013244733.tif 000003
【図２】
2013244733.tif 000004
【図３】
2013244733.tif 000005
【図４】
2013244733.tif 000006